(57)【要約】【課題】衛生薄葉紙ディスペンサーを複数の大きさの衛生薄葉紙の束に対応できるようにする。【解決手段】  下方に開放口を有する筐体１０に薄葉紙束の受け具Ｘが設けられ、内部の薄葉紙束から薄葉紙を下方に取り出すようにした衛生薄葉紙ディスペンサーであって、前記受け具Ｘは；前後方向中間に幅方向に沿いかつ上下方向に沿う案内口を有する案内部３と、前記案内部３上の幅方向両側に、衛生薄葉紙の積層束の両側にそれぞれ対向する調整部４と、を備え、少なくとも一方の調整部４は、幅方向に移動可能でかつその位置がセット可能となっており、前記案内口は前記筐体の開放口に開口している。【選択図】図１
2018057455.tif 000002
【特許請求の範囲】
【請求項１】
下方に開放口を有する筐体に薄葉紙束の受け具が設けられ、内部の薄葉紙束から薄葉紙を下方に取り出すようにした衛生薄葉紙ディスペンサーであって、
前記受け具は；前後方向中間に幅方向に沿いかつ上下方向に沿う案内口を有する案内部と、前記案内部上の幅方向両側に、衛生薄葉紙の積層束の両側にそれぞれ対向する調整部と、を備え、
少なくとも一方の調整部は、幅方向に移動可能でかつその位置がセット可能となっており、
前記案内口は前記筐体の開放口に開口していることを特徴とする衛生薄葉紙ディスペンサー。
【請求項２】
前記受け具は筐体に着脱自在となっている請求項１記載の衛生薄葉紙ディスペンサー。
【請求項３】
前記案内部は、その前後方向の各上面が前記案内口の入口に向かって、水平面との間でなす角度が５度〜０度である請求項１記載の衛生薄葉紙ディスペンサー。
【請求項４】
前記案内部の案内口は、これを構成する前後方向の両壁面が下方に平行して延びている請求項１記載の衛生薄葉紙ディスペンサー。
【請求項５】
前記案内部の案内口は、これを構成する前後方向の両壁面が下方に延びているとともに、離間間隔が下方に拡がっている請求項１記載の衛生薄葉紙ディスペンサー。
【請求項６】
下方に開放口を有する筐体に薄葉紙束の受け具が設けられ、内部の薄葉紙束から薄葉紙を下方に取り出すようにした衛生薄葉紙ディスペンサーであって、
前記筐体は背板部と、その背板部両側から前方に延びる両側板部と、前蓋部とを有し、前蓋部が前記両側板部によって軸支され、前蓋部を開けて筐体内に薄葉紙束を設置可能に構成したものであって、
前記筐体に薄葉紙束を設置するための受け具が取り付けられている請求項１記載の衛生薄葉紙ディスペンサー。
【請求項７】
下方に開放口を有する筐体内部の薄葉紙束から薄葉紙を下方に取り出すようにした衛生薄葉紙ディスペンサー対して設けられ、薄葉紙束を受ける受け具であって、
前記受け具は；前後方向中間に幅方向に沿いかつ上下方向に沿う案内口を有する案内部と、前記案内部上の幅方向両側に、衛生薄葉紙の積層束の両側にそれぞれ対向する調整部と、を備え、
少なくとも一方の調整部は、幅方向に移動可能でかつその位置がセット可能となっており、
前記案内口は前記筐体の開放口に開口していることを特徴とする衛生薄葉紙ディスペンサー用の受け具。
【発明の詳細な説明】
【技術分野】
【０００１】
本発明は、衛生薄葉紙ディスペンサー及び衛生薄葉紙ディスペンサーに用いる受け具に関する。
【背景技術】
【０００２】
複数枚の衛生薄葉紙を折り畳んで積層した束を、交換可能に内部に収め、底部の取出口から一枚ずつ引き出せるようにする壁掛けタイプ等の衛生薄葉紙ディスペンサーがある。
【０００３】
このようなディスペンサーに用いられる衛生薄葉紙は、手洗い後の手拭に用いられるペーパータオルが代表的である。ペーパータオルを収納するための壁掛けタイプのディスペンサーは、例えば、洗面所やトイレ等によく設置されている。
【０００４】
ところで、ペーパータオルは、大判、中判、小判やＳ，Ｍ，Ｌサイズ又は小サイズ、中サイズ、大サイズなど製造業者において呼び方や、それら種別毎の大きさに若干の差はあるものの、概ね三規格程度の大きさに分けられていた。さらに、近年、衛生意識の高まりから、ペーパータオルに対するコスト意識やニーズの多様化が進み、例えば、幼稚園や小学校等において低年齢層が使いやすいサイズが求められるなど、小小判又はＳＳサイズ等ともいえるより小さいサイズのペーパータオルが市場に供されるようになり、その消費量が増加している。
【０００５】
しかし、従来の衛生薄葉紙ディスペンサーは、大判用、中判用、小判用等のペーパータオルの束の大きさに合わせたもの、つまりその束の大きさ専用に作られているものが多く、このような衛生薄葉紙ディスペンサーでは、衛生薄葉紙ディスペンサーが想定するペーパータオルより小さいサイズのペーパータオルの束をセットすると、束を支持するガイド機構が機能しなかったり、ペーパータオルの大きさに対して、取出口の大きさが大きかったりすることなどから、衛生薄葉紙ディスペンサー内に束が装填されている状態の特に残枚数が少なくなったときに複数枚が取出口から引き出され、安定して一枚ずつ取り出すことができない。
特に、２プライの衛生薄葉紙では、柔軟性を重視し可撓性が高いので、残枚数が少なく（例えば１０枚程度）なったときに複数枚が取出口から引き出され、安定して一枚又は一組ずつ取り出すことができないことがある。
【０００６】
このため、大判、中判、小判、それぞれに対応したペーパータオル用のディスペンサーの設置者や所有者が、それぞれの大きさに対応したディスペンサーより小さいペーパータオルに移行しようとすると、ディスペンサーそのものを新たに購入して設置替えする必要があり、コストや手間がかかるという問題がある。
【先行技術文献】
【特許文献】
【０００７】
【特許文献１】特許第４８４７６２６号公報
【発明の概要】
【発明が解決しようとする課題】
【０００８】
そこで、本発明の主たる課題は、異なる大きさの衛生薄葉紙の束に対応できる衛生薄葉紙ディスペンサー及び衛生薄葉紙ディスペンサーに取り付けることで、ディスペンサーを異なる大きさの衛生薄葉紙の束に対応できるようにするディスペンサー及びこれに使用する受け具を提供することにある。
【課題を解決するための手段】
【０００９】
上記課題を解決した本発明の衛生薄葉紙ディスペンサーの形態は、下方に開放口を有する筐体に薄葉紙束の受け具が設けられ、内部の薄葉紙束から薄葉紙を下方に取り出すようにした衛生薄葉紙ディスペンサーであって、
前記受け具は、前後方向中間に幅方向に沿いかつ上下方向に沿う、下部が取出口となる案内口を有する案内部と、前記案内部上の幅方向両側に、衛生薄葉紙の積層束の両側にそれぞれ対向する調整部と、を備え、
少なくとも一方の調整部は、幅方向に移動可能でかつその位置がセット可能となっており、
前記案内口は前記筐体の開放口に開口していることを特徴とするものである。
【００１０】
薄葉紙束の受け具における少なくとも一方の調整部が、幅方向に移動可能でかつその位置がセット可能であると、衛生薄葉紙の束の大きさ、すなわちディスペンサーにセットしたときの横幅サイズに応じて、調整部相互間の離間距離を調整することにより、薄葉紙束の左右のずれを防止しながら、薄葉紙を案内部の案内口から導出させることができる。
【００１１】
前記受け具は筐体に着脱自在となっていることができる。受け具を筐体と一体物として製作することもできるが、受け具は筐体に着脱自在となっている構成であると、受け具の構造の設計の自由度が高くなる。
【００１２】
前記案内部は、その前後方向の各上面が前記案内口の入口に向かって、水平面との間でなす傾斜角度を５度〜０度とすることができる。特に、３度〜０度であるのが望ましい。
【００１３】
傾斜角度が大きいと、複数枚の衛生薄葉紙が取出し口から流出することがあるが、傾斜角度が小さいと、一枚ごとの取出し安定性が向上する。
【００１４】
前記案内部の案内口は、これを構成する前後方向の両壁面が下方に平行して延びているのが望ましい。
【００１５】
前記案内部の案内口は、これを構成する前後方向の両壁面が下方に延びているとともに、離間間隔が下方に拡がっている構造でもよい。
【００１６】
衛生薄葉紙ディスペンサーの具体例として、下方に開放口を有する筐体に薄葉紙束の受け具が設けられ、内部の薄葉紙束から薄葉紙を下方に取り出すようにした衛生薄葉紙ディスペンサーであって、
前記筐体は背板部と、その背板部両側から前方に延びる両側板部と、前蓋部とを有し、前蓋部が前記両側板部によって軸支され、前蓋部を開けて筐体内に薄葉紙束を設置可能に構成したものであって、
前記筐体に薄葉紙束を設置するための受け具が取り付けられているものを挙げることができる。
【００１７】
下方に開放口を有する筐体内部に設置する薄葉紙束から、薄葉紙を下方に取り出すようにした衛生薄葉紙ディスペンサー対して設けられ、薄葉紙束を受ける受け具として、
前記受け具は；前後方向中間に幅方向に沿いかつ上下方向に沿う案内口を有する案内部と、前記案内部上の幅方向両側に、衛生薄葉紙の積層束の両側にそれぞれ対向する調整部と、を備え、
少なくとも一方の調整部は、幅方向に移動可能でかつその位置がセット可能となっており、
前記案内口は前記筐体の開放口に開口しているものを提案する。
【発明の効果】
【００１８】
以上の本発明によれば、異なる大きさの衛生薄葉紙の束に対応できる衛生薄葉紙ディスペンサー及び衛生薄葉紙ディスペンサーに取り付けることで、ディスペンサーを異なる大きさの衛生薄葉紙の束に対応できるようにする案内体が提供される。
【図面の簡単な説明】
【００１９】
【図１】実施形態の衛生薄葉紙ディスペンサーの一部破断正面図である。
【図２】実施形態の衛生薄葉紙ディスペンサーの側面図であり、開閉構造を説明する図である。
【図３】実施形態の衛生薄葉紙ディスペンサーの縦断面図である。
【図４】実施形態の衛生薄葉紙ディスペンサーのペーパータオル装填時の縦断面図である。
【図５】実施形態の衛生薄葉紙ディスペンサーの横断面図である。
【図６】実施形態の受け具例を説明するための斜視図である。
【図７】案内部の縦断面図である。
【図８】他例の案内部の縦断面図である。
【図９】態様を異にする受け具の平面図である。
【発明を実施するための形態】
【００２０】
次いで、本発明の実施の形態を図１〜６を参照しながら以下に詳述する。
【００２１】
本形態に係る衛生薄葉紙ディスペンサー１（以下、単にディスペンサーともいう）は、その素材が例えばＡＢＳ樹脂等の合成樹脂や金属素材等で形成された剛性のある筐体１０
の内部に、略直方体形状の衛生薄葉紙２の束２１を収め、案内部３に形成された案内口３ａの下方から、束２１を構成する衛生薄葉紙２を一枚ずつ（２プライの場合には２プライ単位で）引き出すようにして使用される。
【００２２】
実施形態のディスペンサー１は、下方に開放口１０ａを有する筐体１０に薄葉紙束２１の受け具Ｘが設けられ、内部の薄葉紙束から薄葉紙２を案内口３ａの下方から下方に取り出すようにしたものである。
受け具Ｘは、前後方向中間に幅方向に沿いかつ上下方向に沿う案内口３ａを有する案内部３と、案内部３上の幅方向両側に、衛生薄葉紙の積層束の両側にそれぞれ対向する調整部４とを備えている。
【００２３】
衛生薄葉紙２は、この種のディスペンサー１に用いられるものであれば、特に限定されるものではない。手拭き用途が主であるペーパータオルが代表的であるが、その他、清掃用途を主とするワイプ、工業製品や機具、用具の拭き取りを主とするウェス、厨房での使用を主とするキッチンペーパー、食材に使用することを主とするミートペーパーなどが例示される。
【００２４】
衛生薄葉紙２の束２１は、方形の衛生薄葉紙２が二つ折りされ、その折り返し片の縁が上下に隣接する衛生薄葉紙の折り返し内面に位置するようにして、互い違いに重なり合いつつ積層されたものであり、最底位に位置する一枚の折り返し片２Ａを案内口３ａから引き出すと、その直上で隣接する他の一枚の折り返し片２Ｂが、下方に引きずられて案内口３ａから露出される。
本発明における束２１の幅方向とは、衛生薄葉紙２の折り返し縁２Ｅに沿う方向である。したがって、本発明における衛生薄葉紙２の束２１の側面２１Ａとは、衛生薄葉紙２の折り返し縁２Ｅではない縁が並ぶ積層面である。
【００２５】
前記筐体１０は、例えば、前蓋部１２と、前蓋部１２に対面して位置する背板部１３と、前蓋部１２と背板部１３との間の底側に位置し、前後方向中央部において幅方向に延在する案内口３ａを有する案内部３と、前記前蓋部１２及び背板部１３の幅方向両端部において各々前蓋部１２と背板部１３との間に位置する一対の側板部１５，１５とを有している。
【００２６】
実施形態のディスペンサー１では、前蓋部１２の幅方向両端から背板部１３側に向かって延出する側部が、背板部１３の幅方向両端から前蓋部１２側に向かって延出する側板部１５に一部が重なり合って、軸支部１６においてハッチ式に軸支されている。図２中の二点鎖線で示すようにその前蓋部１２を手前に引き下げることにより、筐体１０が前面開放状態となり、筺体内部に衛生薄葉紙２の束２１が収納可能となる。
【００２７】
但し、衛生薄葉紙ディスペンサー１における側板部の構造は、この形態に限定される訳ではない。前蓋部１２と背板部１３の幅方向両端縁を繋ぐ一枚板状であってもよい。また、前蓋部１２の側部、側板部１５の何れかのみを有するような形態であってもよい。
【００２８】
実施の形態での衛生薄葉紙ディスペンサー１は、下方に開放口１０ａを有する筐体１０に薄葉紙束２１の受け具Ｘが設けられ、内部の薄葉紙束から薄葉紙を下方に取り出すようにしたものである。この受け具Ｘは、例えば筐体１０に、例えば図５に示すボス３ｃによる嵌め込み式やビス止めなどにより着脱自在とすることができる。受け具Ｘは、予め筐体１０に一体化していてもよい。
【００２９】
受け具Ｘは、案内部３上の幅方向両側に、衛生薄葉紙２の束２１の側面２１Ａを案内する調整部４，４が設けられている。なお、この調整部４は、案内部３に対して、着脱自在としてもよい。
【００３０】
また、この調整部４は、案内部３とは別に供してもよい。実施の形態として、筺体１０に予め受け具Ｘを設けたディスペンサー１としてもよいし、ディスペンサー１に同梱して使用者が適宜に受け具Ｘを設けるようにしてもよい。
【００３１】
案内部３は、両側板部３Ｃ，３Ｃと一体化された前後の案内部を有し、前後の案内部３は水平部３Ａと下方への垂下部３Ｂをそれぞれ有しており、前後の垂下部３Ｂ，３Ｂの間が案内口３ａとなっている。
【００３２】
案内部全体では、両側板部３Ｃ，３Ｃと、一体化された前後の案内部３を有し、前後の案内部３は水平部３Ａと下方への垂下部３Ｂをそれぞれ有しており、前後の垂下部３Ｂ，３Ｂの間が案内口３ａとなっている。また、垂下部３Ｂ，３Ｂの下縁の幅方向中央部には、図４が参照されるように、折り返し片２Ａの下部を下方に摘まみ出す切欠部３ｂが形成されている。この切欠部３ｂに手先が届くように、筺体１０の蓋部１２の下部に切欠部１０ｂが形成されている。
【００３３】
案内部３の水平部３Ａの上面は、図７に示すように、水平となっているが、案内口３ａの入口に向かって、水平面との間でなす傾斜角度θが望ましくは５度〜０度内で適宜選択できる。この傾斜角度θでは、束２１の複数枚の組みが案内口３ａ内に落ち込むことを防止できる。
【００３４】
案内部３の垂下部３Ｂは、鉛直方向下方に垂下するほか、図８に示すように、垂下部３Ｂ，３Ｂの離間間隔が下方に拡がっているように形成することもできる。
なお、水平部３Ａと垂下部３Ｂとの角は円弧又は曲線で繋げておくことが、紙の破れを防止する及び円滑な引出しのために望ましい。
【００３５】
他方、図６が参照されるように、調整部４は、上下方向のガイド板部４Ａ、水平部３Ａ、３Ａ間に跨がる基部４Ｂと、垂下部３Ｂ，３Ｂ間に入り込むスライド部４Ｃを有しており、調整部４全体は、ガイド板部４Ａ、４Ａの幅方向離間距離が、大判用、中判用、小判用に対応するように幅方向に移動可能でかつその位置がセット可能となっている。
図示例では、両調整部４が幅方向に移動可能となっているが、一方のみが移動可能で他方は固定でもよい。
【００３６】
図６が参照される例においては、調整部４を所望の幅方向位置に移動した状態で、締結具１７（例えば図示のボルト）を、基部４Ｂ、及び案内部３の水平部３Ａに形成された長孔３ｄ（図示を省略している部分がある。）を挿通し、水平部３Ａの底面との間で締結し、調整部４の位置がセット可能となっている。調整部４を幅方向に移動させるとき、スライド部４Ｃはスライドガイドとなる。
【００３７】
調整部４を移動可能にし、かつ位置をセット可能とする構造例は当業者であれば種々のものを選択するであろう。例えば、図９に示すように、スライド部４０Ｃの前後面と垂下部３Ｂ，３Ｂの壁面との間に弾発バネ材４１を設け、弾発バネ材４１の突部が垂下部３Ｂの凹部３ｅに食い込み、位置をセットするように構成できる。
【００３８】
以上のとおり本発明に係る調整部４が設けられた衛生薄葉紙ディスペンサー１は、異なる大きさの衛生薄葉紙２の束２１に対応でき、また、その調整部４は、衛生薄葉紙ディスペンサーに取り付けることで、ディスペンサーを異なる大きさの衛生薄葉紙２の束２１に対応できるようにする。
【符号の説明】
【００３９】
１…衛生薄葉紙ディスペンサー、２…衛生薄葉紙、２Ａ…束の最底位に位置する一枚の衛生薄葉紙の折り返し片、２Ｂ…束の最底位に位置する一枚の衛生薄葉紙の直上の衛生薄葉紙の折り返し片、２Ｅ…衛生薄葉紙の折り返し縁、３…案内部、４…調整部、２１…衛生薄葉紙の束、２１Ａ…衛生薄葉紙の束の幅方向側面、１０…筐体、１２…前蓋部、１３…背板部、１５…側板部。
【図１】
2018057455.tif 000003
【図２】
2018057455.tif 000004
【図３】
2018057455.tif 000005
【図４】
2018057455.tif 000006
【図５】
2018057455.tif 000007
【図６】
2018057455.tif 000008
【図７】
2018057455.tif 000009
【図８】
2018057455.tif 000010
【図９】
2018057455.tif 000011